(57)【要約】【課題】  テレビ番組を視聴中でも、発信者のプライバシーを侵害せず、かつ、テレビ番組の視聴を妨げずに、電話の着信を表示し、「音声による着信」と「電子メールの着信」とを識別する。【解決手段】  開示される映像表示システムは、固定電話機の親機１と、映像表示装置２とを具備する。親機１は、自機の着信を検出し、着信した携帯端末機３からの着信確認信号に基づきその着信を検出する着信検出回路と、着信確認信号から携帯端末機３の電話番号又はメールアドレスを検出する電話番号／メールアドレス検出回路と、自機又は携帯端末機３の電話番号等を送信する送信器とを有する。映像表示装置２は、上記電話番号等を受信する受信器と、上記電話番号等ごとに、着信表示の種類が設定された登録テーブルと、上記電話番号等により登録テーブルを参照して得られた着信表示の種類に基づきディスプレイ４２又はＬＥＤ４４に親機１等の着信を表示する制御部とを有する。【選択図】  図１
2006287829.tif 000002
【特許請求の範囲】
【請求項１】
自機の着信を検出するとともに、着信した他の電話機から送信される信号に基づいて、前記他の電話機の着信を検出する第１の検出回路と、前記信号から前記他の電話機の電話番号又はメールアドレスを検出する第２の検出回路と、前記自機の電話番号、前記他の電話機の前記電話番号又は前記メールアドレスを送信する送信器とを有する固定電話機と、
送信された前記電話番号又は前記メールアドレスを受信する受信器と、前記電話番号又は前記メールアドレスごとに、着信表示の種類が設定された登録テーブルと、送信された前記電話番号又は前記メールアドレスにより前記登録テーブルを参照して得られた前記着信表示の種類に基づいて、テレビ番組の映像を表示するディスプレイ又はその近傍に前記固定電話機又は前記他の電話機の着信を表示する制御部とを有する映像表示装置と
を具備したことを特徴とする映像表示システム。
【請求項２】
前記信号は、着信した固定電話機の親機が受信した呼を子機に転送する呼転送信号又は基地局を介して着信した携帯電話機が前記基地局に送信する着信確認信号のいずれか一方又は両方であることを特徴とする請求項１に記載の映像表示システム。
【請求項３】
前記第２の検出回路は、着信した信号から自機のメールアドレスを検出し、前記送信機は、前記自機の前記メールアドレスを送信することを特徴とする請求項１又は２に記載の映像表示システム。
【請求項４】
前記ディスプレイへの表示は、前記固定電話機又は前記他の電話機の所持者の氏名又はニックネームを用いたＯＳＤ表示形式での表示又はテロップ表示のいずれか一方又は両方であることを特徴とする請求項１乃至３のいずれかに記載の映像表示システム。
【請求項５】
前記ＯＳＤ表示形式での表示は、操作者による操作部の操作により、前記ディスプレイの画面内を移動可能に構成されていることを特徴とする請求項４に記載の映像表示システム。
【請求項６】
前記ディスプレイ近傍での表示は、ＬＥＤによる表示であり、複数の色による表示、前記複数の色の点滅表示の少なくとも１つであることを特徴とする請求項１乃至５のいずれかに記載の映像表示システム。
【請求項７】
前記映像表示装置は、前記受信器と、前記登録テーブルと、前記制御部とを有するチューナ部と、前記ディスプレイを有するモニタ部とからなることを特徴とする請求項１乃至５のいずれかに記載の映像表示システム。
【発明の詳細な説明】
【技術分野】
【０００１】
本発明は、テレビ番組の放映中に、固定電話機、携帯電話機又は簡易型携帯電話機（ＰＨＳ：Personal Handy-phone System）の携帯端末機等の電話機の着信を表示する着信表示システムに関する。
【背景技術】
【０００２】
テレビジョン受信機等の映像表示装置を用いてテレビ番組を視聴中に、固定電話機や携帯端末機等の電話機の着信があった場合、着信音の音量を低く設定しておけば着信音が聞き取りにくく、着信音の音量を大きく設定しておけば隣室、隣家等に迷惑をかけることになる。また、携帯端末機については、マナーモードの解除をし忘れていれば、着信に気づかない場合がある。
【０００３】
そこで、従来から、テレビ番組を視聴中であっても、電話機の着信を容易に確認することができる技術として、以下に示すものが提案されている。まず、従来のテレビジョン受信機には、固定電話機の電話回線と接続され、テレビ番組を視聴中に電話が着信すると、発信者の電話番号を解析し、解析した電話番号のキャラクタデータを映像信号に合成して表示するものがある（例えば、特許文献１参照。）。以下、この技術を第１の従来例と呼ぶ。また、従来の着信表示装置には、基地局からの電波を受信した際に携帯電話機から発信される受信確認を示す電波を検出し、これに基づきディスプレイに携帯電話機の着信があったことを表示するものがある（例えば、特許文献２参照。）。以下、この技術を第２の従来例と呼ぶ。
【０００４】
さらに、従来の着信表示装置には、着信があった携帯電話機又はいわゆるナンバーディスプレイ機能付き固定電話機が着信情報を作成して送信した赤外線を、リモートコントローラ（以下、「リモコン」と略す。）受信部で受信してその情報を表示したり、音声で報知したりするものもある。この従来の着信表示装置は、発信元情報が携帯電話機に予め登録されているときは、着信情報に発信元情報が加えられているので、着信情報及び発信元情報をともに表示する（例えば、特許文献３参照。）。以下、この技術を第３の従来例と呼ぶ。
【特許文献１】特開平１０−３３６５４１号公報
【特許文献２】特開２００３−３０４３０４号公報
【特許文献３】特開２００４−１５９０９９号公報
【発明の開示】
【発明が解決しようとする課題】
【０００５】
上記した第１〜第３の従来例では、発信者の電話番号や氏名等が表示されるため、発信者のプライバシーを侵害してしまうという課題があった。また、上記した第３の従来例において、着信を音声で報知する場合には、テレビ番組の視聴が妨げられるという課題があった。さらに、上記した第２の従来例では、着信中である表示がテレビ画面の比較的広い領域に表示されるため、例えば、サッカーの試合が中継されているテレビ番組を視聴中に、着信中である表示がゴールを覆うようになされると、ゴールが決まる肝心なシーンを見逃してしまうおそれがあるという課題があった。
【０００６】
また、上記した第２及び第３の従来例では、「音声による着信」でも、「電子メールの着信」でも、同様に報知するので、「音声による着信」であるのか、「電子メールの着信」であるのかを識別することができないという課題があった。このため、テレビ番組を視聴している者は、「音声による着信」だと思い込んで急いで携帯端末機を手に取ったところ、受信後にゆっくりみることができる「電子メールの着信」とわかった場合には、携帯端末機を探しているうちに、肝心なシーンを見逃してしまうおそれがある。
【０００７】
本発明は、上述した事情に鑑みてなされたもので、テレビ番組を視聴中であっても、発信者のプライバシーを侵害することなく、かつ、テレビ番組の視聴を妨げることなく、電話の着信を表示するとともに、「音声による着信」と「電子メールの着信」とを識別することができる着信表示システムを提供することを目的としている。
【課題を解決するための手段】
【０００８】
上記課題を解決するために、請求項１記載の発明に係る着信表示システムは、自機の着信を検出するとともに、着信した他の電話機から送信される信号に基づいて、前記他の電話機の着信を検出する第１の検出回路と、前記信号から前記他の電話機の電話番号又はメールアドレスを検出する第２の検出回路と、前記自機の電話番号、前記他の電話機の前記電話番号又は前記メールアドレスを送信する送信器とを有する固定電話機と、送信された前記電話番号又は前記メールアドレスを受信する受信器と、前記電話番号又は前記メールアドレスごとに、着信表示の種類が設定された登録テーブルと、送信された前記電話番号又は前記メールアドレスにより前記登録テーブルを参照して得られた前記着信表示の種類に基づいて、テレビ番組の映像を表示するディスプレイ又はその近傍に前記固定電話機又は前記他の電話機の着信を表示する制御部とを有する映像表示装置とを具備したことを特徴としている。
【０００９】
また、請求項２記載の発明は、請求項１に記載の映像表示システムに係り、前記信号は、着信した固定電話機の親機が受信した呼を子機に転送する呼転送信号又は基地局を介して着信した携帯電話機が前記基地局に送信する着信確認信号のいずれか一方又は両方であることを特徴としている。
また、請求項３記載の発明は、請求項１又は２に記載の映像表示システムに係り、前記第２の検出回路は、着信した信号から自機のメールアドレスを検出し、前記送信機は、前記自機の前記メールアドレスを送信することを特徴としている。
また、請求項４記載の発明は、請求項１乃至３のいずれかに記載の映像表示システムに係り、前記ディスプレイへの表示は、前記固定電話機又は前記他の電話機の所持者の氏名又はニックネームを用いたＯＳＤ表示形式での表示又はテロップ表示のいずれか一方又は両方であることを特徴としている。
【００１０】
また、請求項５記載の発明は、請求項４に記載の映像表示システムに係り、前記ＯＳＤ表示形式での表示は、操作者による操作部の操作により、前記ディスプレイの画面内を移動可能に構成されていることを特徴としている。
また、請求項６記載の発明は、請求項１乃至５のいずれかに記載の映像表示システムに係り、前記ディスプレイ近傍での表示は、ＬＥＤによる表示であり、複数の色による表示、前記複数の色の点滅表示の少なくとも１つであることを特徴としている。
また、請求項７記載の発明は、請求項１乃至６のいずれかに記載の映像表示システムに係り、前記映像表示装置は、前記受信器と、前記登録テーブルと、前記制御部とを有するチューナ部と、前記ディスプレイを有するモニタ部とからなることを特徴としている。
【発明の効果】
【００１１】
本発明に係る着信表示システムは、自機の着信を検出するとともに、着信した他の電話機から送信される信号に基づいて、前記他の電話機の着信を検出する第１の検出回路と、前記信号から前記他の電話機の電話番号又はメールアドレスを検出する第２の検出回路と、前記自機の電話番号、前記他の電話機の前記電話番号又は前記メールアドレスを送信する送信器とを有する固定電話機と、送信された前記電話番号又は前記メールアドレスを受信する受信器と、前記電話番号又は前記メールアドレスごとに、着信表示の種類が設定された登録テーブルと、送信された前記電話番号又は前記メールアドレスにより前記登録テーブルを参照して得られた前記着信表示の種類に基づいて、テレビ番組の映像を表示するディスプレイ又はその近傍に前記固定電話機又は前記他の電話機の着信を表示する制御部とを有する映像表示装置とを具備している。従って、テレビ番組を視聴中であっても、発信者のプライバシーを侵害することなく、かつ、テレビ番組の視聴を妨げることなく、電話の着信が表示される。また、「音声による着信」と「電子メールの着信」とを識別することができる。
【発明を実施するための最良の形態】
【００１２】
実施の形態１．
図１は、本発明の実施の形態１に係る着信表示システムの構成を示すブロック図である。本発明の実施の形態１に係る着信表示システムは、固定電話機の親機１と、映像表示装置２と、携帯端末機３とから概略構成されている。親機１は、固定通信網の基地局４とケーブル５を介して有線接続されているとともに、子機６と無線接続されている。一方、携帯端末機３は、移動通信網の基地局７と無線接続されている。
【００１３】
親機１は、図２に示すように、回線インターフェイス１１と、着信検出回路１２と、電話番号／メールアドレス検出回路１３と、音声処理回路１４と、制御部１５と、エンコーダ１６と、無線通信部１７と、記憶部１８と、操作部１９と、表示部２０と、送受話部２１と、アンテナ２２及び２３とから構成されている。回線インターフェイス１１は、この親機１と基地局４とがケーブル５を介して接続されることにより、親機１と基地局４との間でやりとりされるデータや制御信号に対して波形整形や増幅などの処理を施す。着信検出回路１２は、基地局４からケーブル５及び回線インターフェイス１１を介して送信された着信信号を検出し、着信検出信号ＲＤ１を制御部１５に供給する。また、着信検出回路１２は、アンテナ２２で受信された着信確認信号ＲＣを入力電圧の変化として着信を検出し、着信検出信号ＲＤ２を制御部１５に供給する。ここで、着信確認信号ＲＣとは、基地局７を介して着信した携帯電話機３が当該基地局７に向けて送信する着信を確認したことを示す信号である。さらに、着信検出回路１２は、上記着信確認信号ＲＣを電話番号／メールアドレス検出回路１３に供給する。
【００１４】
電話番号／メールアドレス検出回路１３は、着信の際、基地局４からケーブル５及び回線インターフェイス１１を介して送信された発信者の電話番号を検出し発信者の電話番号情報を出力する。また、電話番号／メールアドレス検出回路１３は、上記着信確認信号ＲＣから着信者の電話番号又はメールアドレスをそれぞれ検出し、携帯端末機３の電話番号を電話番号データＤＮ２として、メールアドレスをメールアドレスデータＭＡとしてそれぞれ制御部１５に供給する。音声処理回路１４は、通話時の音声信号の増幅等を行って送受話部２１に供給するともに、無線通信部１７から供給される音声信号を送受話部２１に供給する。
【００１５】
制御部１５は、中央処理装置（ＣＰＵ）、デジタルシグナルプロセッサ（ＤＳＰ）、シーケンサ等からなり、記憶部１８に記憶されている電話番号等送信プログラム等に基づいて、電話番号等送信処理等を実行することにより、この親機１の各部を制御する。即ち、例えば、記憶部１８から電話番号等送信プログラムが読み出されると、制御部１５に読み込まれ、制御部１５の動作を制御する。制御部１５は、電話番号等送信プログラムが起動されると、電話番号等送信プログラムの制御により、後述する電話番号等送信処理を実行するのである。電話番号等送信処理は、自機の着信があった場合又は携帯端末機３の着信があったことが報知された場合、着信があった自機の電話番号データＤＮ１又は携帯端末機３の電話番号データＤＮ２、あるいは、メール送信先のメールアドレスＭＡを映像表示装置２に送信する処理である。
【００１６】
エンコーダ１６は、制御部１５から供給される電話番号データＤＮ１、電話番号データＤＮ２又はメールアドレスＭＡを符号化して、符号化信号ＥＣとして無線通信部１７に供給する。無線通信部１７は、送受話部２１から出力され、音声処理回路１４を介して供給される音声信号や制御部１５から供給される呼び出しのための制御信号等の制御信号を無線信号に変換してアンテナ２３を介して子機６に送信する。また、無線通信部１７は、アンテナ２３で受信された無線信号から音声信号や制御信号を復調し、音声信号を音声処理回路１４を介して送受話部２１に供給し、制御信号を制御部１５に供給する。また、無線通信部１７は、エンコーダ１６から供給される符号化信号ＥＣを用いて変調を行い、変調信号ＶＥをアンテナ２３から送信する。
【００１７】
記憶部１８は、ＲＡＭやＲＯＭ、あるいはフラッシュメモリ等の半導体メモリからなり、制御部１５が実行する各種プログラムや、ユーザが操作部１９を操作することにより、設定した相手先の電話番号等が記憶される。なお、記憶部１８に記憶される各種プログラムや一部のデータについては、制御部１５を構成するＣＰＵ内部に設けられたメモリに記憶されると構成しても良い。操作部１９は、相手先の電話番号等の入力に用いられるテンキーやメニューキー等の各種キーからなる。表示部２０は、例えば、液晶パネル、ＥＬ（electroluminescence）パネル、プラズマディスプレイパネル等からなり、現在の日付、相手先の電話番号等の各種情報が表示される。送受話部２１は、スピーカおよびマイクからなり、音声処理回路１４から供給される音声信号に基づいてスピーカから音声を放出するとともに、マイクによって音声から変換された音声信号を音声処理回路１４に供給することにより、相手先との通話に用いられる。
【００１８】
次に、映像表示装置２の構成について、図３に示すブロック図を参照して説明する。映像表示装置２は、アンテナ３１に接続され、チューナ３２と、映像処理回路３３と、制御部３４と、リモコン受信部３５と、記憶部３６と、本体操作部３７と、アンテナ３８と、受信器３９と、デコーダ４０と、キャラクタジェネレータ４１と、ディスプレイ４２と、ＬＥＤ駆動回路４３と、ＬＥＤ４４とを有している。
チューナ３２は、アンテナ３１で受信された各種の放送信号ＶＴの中から、操作者がリモコン４５又は本体操作部３７を操作することにより選局した放送信号について復調や誤り訂正等を行って、ビデオ信号ＶＤを出力する。ここで、各種の放送信号ＶＴとしては、例えば、地上波アナログ放送、地上波デジタル放送、ＢＳアナログ放送、ＢＳデジタル放送、ＣＳアナログ放送、ＣＳデジタル放送のそれぞれの放送信号がある。
【００１９】
映像処理回路３３は、制御部３４から供給される制御信号ＳＣ１に基づいて、ビデオ信号ＶＤに対して、ＩＰ（Interlace to Progressive）変換、スケーリング、デジタルＲＧＢ変換等の映像処理を施してビデオ信号ＶＰとして出力する。ＩＰ変換は、飛び越し走査（インターレース）方式のビデオ信号を順次走査（プログレッシブ）方式のビデオ信号に変換する処理である。スケーリングは、ビデオ信号ＶＰにより表現される映像の解像度がディスプレイ４２に表示される映像の解像度と異なる場合に当該ビデオ信号に対して映像の表示位置や大きさ等を調整する処理である。デジタルＲＧＢ変換は、ビデオ信号をデジタル赤信号、デジタル緑信号、デジタル青信号からなるデジタルＲＧＢ・ビデオ信号に変換する処理である。
【００２０】
制御部３４は、ＣＰＵ、ＤＳＰ、シーケンサ等からなり、記憶部３６に記憶されている着信表示プログラム、登録テーブル作成プログラム等に基づいて、着信表示処理、登録テーブル作成処理等を実行することにより、装置各部に制御信号ＳＣ１及びＳＣ２等を供給するなどして制御する。
即ち、例えば、記憶部３６から着信表示プログラムが読み出されると、制御部３４に読み込まれ、制御部３４の動作を制御する。制御部３４は、着信表示プログラムが起動されると、着信表示プログラムの制御により、後述する着信表示処理を実行するのである。着信表示処理は、親機１から固定電話機又は携帯端末機３の着信があったことが報知された場合にディスプレイ４２にその旨を表示したり、ＬＥＤ４４を点灯させる処理である。登録テーブル作成処理は、ある家屋に設置されている固定電話機や家族が所持している携帯端末機３の電話番号、メールアドレス、それぞれの着信があった場合にその旨を表示する着信表示の種類を設定した登録テーブルを作成する処理である。
【００２１】
リモコン受信部３５は、リモコン４５からの赤外線パルスの制御信号ＬＲを受信し、電気信号の制御信号ＲＣに変換して制御部３４に供給する。リモコン４５には、一般的なテレビジョン受信機に用いられるリモコンと同様、電源ボタン、チャンネルボタン、入力切換ボタン、音量増加ボタン、音量減少ボタンなどの各種のボタンが設けられている。チャンネルボタンは、テレビ番組のチャネルを選択するために機能するだけでなく、上記登録テーブルを作成する際に数字や文字を入力するためにも機能する。例えば、チャンネル１の選択が可能なボタン「１」は、数字の「１」及び「あ」行の１文字の入力も可能に構成され、チャンネル２の選択が可能なボタン「２」は、数字の「２」及び「か」行の１文字、アルファベットの「Ａ」、「Ｂ」、「Ｃ」の入力も可能に構成されている。即ち、一般的な携帯端末機の数字キーと同様な機能を有している。このようなチャンネルボタンを「チャンネル／数字・文字入力ボタン」と称することができる。
【００２２】
また、上記リモコン４５には、上記した各種ボタンの他、登録ボタン、上カーソルボタン、下カーソルボタン、左カーソルボタン、右カーソルボタン及び決定ボタンが設けられている。以下、上カーソルボタン、下カーソルボタン、左カーソルボタン及び右カーソルボタンを総称して、「カーソルボタン」と呼ぶことにする。
登録ボタンは、押下されるたびに、ディスプレイ４２にＯＳＤ（On Screen Display）表示形式で登録テーブルを作成するための登録テーブル作成画面の表示と、非表示とが交互に指示されるボタンである。登録テーブル作成画面の具体的な表示構成については、後述する。上カーソルボタン、下カーソルボタン、左カーソルボタン及び右カーソルボタンは、ディスプレイ４２に登録テーブル作成画面が表示されている状態で押下されることにより、それぞれ上方向、下方向、左方向及び右方向に１つずつカーソルを移動させることによりフォーカスを移動させて項目の選択が指示されるボタンである。
【００２３】
ここで、フォーカスについて説明する。表示画面に複数のボタンやテキストボックス等が表示されている場合、これらのうち、リモコン４５又は本体操作部３７からの入力を受け付けることができるのは１つだけであるが、その入力を受け付ける状態になっていることをフォーカスを持つという。あるボタンがフォーカスを持っているか否かは、テキストボックスの場合には内部でカーソルが点滅する、ドロップダウンリストボックスの場合にはメニューが選択反転する、コマンドボタンの場合には破線で囲まれる、などにより判断することができる。
決定ボタンは、ディスプレイ４２に表示されている登録テーブル作成画面を構成するドロップダウンリストボックスがフォーカスを持っている状態で押下されることにより、選択可能な着信表示の一覧を表示させることが指示されるボタンである。また、登録テーブル作成画面を構成する「決定」コマンドボタンがフォーカスを持っている状態で決定ボタンが押下されることにより、作成された登録テーブルの記憶が指示される。
【００２４】
記憶部３６は、ＲＡＭやＲＯＭ、あるいはフラッシュメモリ等の半導体メモリからなる。記憶部３６は、プログラム記憶部と、ワーキング記憶部と、データ記憶部とから構成されている。プログラム記憶部は、上記した制御部３４が実行すべき着信表示プログラム、登録テーブル作成プログラムその他の各種プログラムが予め記憶されている。ワーキング記憶部は、制御部３４が上記した着信表示プログラム、登録テーブル作成プログラムその他の各種プログラムを実行する際に作業用として用いられる。データ記憶部は、映像処理回路３３その他の構成要素に設定すべき初期値や最終値が予め記憶されていたり、登録テーブル等の各種のデータが記憶される。
【００２５】
ここで、図４に登録テーブルの構成の一例を示す。図４に示す例では、両親及び子供二人のある家庭において、１台の固定電話機が設置され、この固定電話機に対応する電話番号が登録テーブルに登録されていることを示している。また、図４に示す例では、４人全員が携帯端末機を所持しており、各携帯端末機の対応する電話番号及びメールアドレスが登録テーブルに登録されていることを示している。さらに、図４に示す例では、固定電話機の着信表示の方法として、ＬＥＤ４４の赤色の連続点灯、父親の「音声による着信」の着信表示の方法として、「パパの電話が鳴っています。」というＯＳＤ表示、父親の「電子メールの着信」の着信表示の方法として、「パパにメールが来ています。」というＯＳＤ表示がそれぞれ選択されていることを示している。
【００２６】
さらに、図４に示す例では、母親の「音声による着信」の着信表示の方法として、ＬＥＤ４４の緑色の連続点灯、母親の「電子メールの着信」の着信表示の方法として、ＬＥＤ４４の緑色の点滅点灯がそれぞれ選択されていることを示している。同様に、図４に示す例では、長男「彰」の「音声による着信」の着信表示の方法として、ＬＥＤ４４の青色の連続点灯、長男「彰」の「電子メールの着信」の着信表示の方法として、ＬＥＤ４４の青色の点滅点灯がそれぞれ選択されていることを示している。また、図４に示す例では、長女「真子」の「音声による着信」の着信表示の方法として、「真子さんの電話が鳴っています。」というテロップ表示、長女「真子」の「電子メールの着信」の着信表示の方法として、「真子さんにメールが来ています。」というテロップ表示がそれぞれ選択されていることを示している。
ここで、テロップ（TELOP: TELevision Opaque Projector）とは、文字列や映像等を画面において、ある位置から他の位置へ（例えば、右から左へ、左から右へ、上から下へあるいは下から上へ）とスクロールさせつつ表示することをいう。なお、記憶部３６を構成するプログラム記憶部に予め記憶されている各種プログラムや、ワーキング記憶部又はデータ記憶部に記憶される一部のデータについては、制御部３４の内部に設けられたメモリに記憶されると構成しても良い。
【００２７】
本体操作部３７は、例えば、映像表示装置２本体の右下部に設けられ、電源ボタン、入力切換ボタン、チャンネル増加ボタン、チャンネル減少ボタン、音量増加ボタン、音量減少ボタン、登録ボタン、上カーソルボタン、下カーソルボタン、左カーソルボタン、右カーソルボタン、決定ボタンなど各種のボタンから構成されている。各ボタンの用途及び機能は、上記リモコン４５を構成する同一名称のボタンの用途及び機能とそれぞれ同一である。本体操作部３７は、操作者により操作されたボタンに対応した制御信号ＭＣを制御部３４に供給する。
【００２８】
受信器３９は、アンテナ３８で受信された変調信号ＶＥから符号化信号ＥＣを復調し、デコーダ４０に供給する。デコーダ４０は、受信器３９から供給される符号化信号ＥＣを復号化して、得られた電話番号データＤＮ１、電話番号データＤＮ２又はメールアドレスＭＡを制御部３４に供給する。
キャラクタジェネレータ４１は、映像処理回路３３から供給されるビデオ信号ＶＰに、制御部３４から供給されるＯＳＤ表示信号ＳＯ又はテロップ表示信号ＳＴを重畳して、映像信号ＶＯとしてディスプレイ４２に供給する。ＯＳＤ表示信号ＳＯは、ＯＳＤ表示形式で登録テーブル作成画面や電話の着信を表示するための信号である。一方、テロップ表示信号ＳＴは、テロップ表示形式で電話の着信を表示するための信号である。
【００２９】
ディスプレイ４２は、ＣＲＴディスプレイ、液晶パネル、ＥＬパネル、プラズマディスプレイパネル、あるいはプロジェクタ等からなる。ＬＥＤ駆動回路４３は、制御部３４から供給される制御信号ＳＣ２に基づいて、ＬＥＤ４４に駆動電圧ＤＶを印加する。ＬＥＤ４４は、マルチカラーのＬＥＤであり、例えば、赤色光を発光する赤色発光チップ部、緑色光を発光する緑色発光チップ部、青色光を発光する青色発光チップ部が互いに近接して一体化されている。ＬＥＤ４４は、例えば、図１に示すように、映像表示装置２前面の右下部に設けられている。なお、映像表示装置２には、上記した映像信号に関連した各構成要素の他、音声信号に関連した様々な構成要素が設けられているが、それらの各構成要素は、本発明には直接関係しないので、その説明を省略する。
【００３０】
次に、上記構成を有する映像表示装置２の制御部３４の登録テーブル記憶処理について、図５に示すフローチャートを参照して説明する。まず、操作者は、映像表示装置２に電源を投入し、ディスプレイ４２に何らかの映像又はいわゆる砂嵐やブルースクリーン等の無信号であることを示す映像を表示させる。これにより、映像表示装置２の制御部３４は、図５に示すステップＳＡ１の処理へ進み、登録ボタンが押下されたか否かを判断する。この判断は、制御部３４において、操作者がリモコン４５の登録ボタンを押下することにより、リモコン４５から上記登録ボタンが押下されたことを示す赤外線パルスの制御信号ＬＲがリモコン受信部３５で受信された後、電気信号の制御信号ＲＣに変換されて供給されたか否かを検出することにより行われる。
【００３１】
ステップＳＡ１の判断が「ＮＯ」の場合には、制御部３４は、同判断を繰り返す。そして、上記登録ボタンが押下されたことを示す制御信号ＲＣが制御部３４に供給されると、ステップＳＡ１の判断が「ＹＥＳ」となり、制御部３４は、ステップＳＡ２へ進む。ステップＳＡ２では、制御部３４は、ディスプレイ４２の一部にＯＳＤ表示形式の登録テーブル作成画面を表示した後、ステップＳＡ３へ進む。
ここで、図６（ａ）に登録テーブル作成画面の表示構成例を示す。図６（ａ）の例では、５台の電話機について着信表示が設定可能に構成されており、固定電話機については、標準で設定可能なため、「固定電話」と固定文字で表示されている。他の電話機については、それぞれテキストボックスが設けられ、電話機の所持者の氏名やニックネーム等が入力可能に構成されている。
【００３２】
そして、固定電話機を含めた最大５台の電話機について、電話番号及びメールアドレスを入力するためのテキストボックスが設けられているとともに、最大５台の電話機の「音声による着信」についての着信表示及び「電子メールの着信」についての着信表示の種類を選択するためのドロップダウンリストボックスが設けられている。着信表示の種類としては、例えば、上記携帯端末機３の所持者の氏名やニックネーム等のテロップ表示、上記携帯端末機３の所持者の氏名やニックネーム等のＯＳＤ表示、ＬＥＤ４４の、白色連続点灯、赤色連続点灯、緑色連続点灯、青色連続点灯、白色点滅点灯、赤色点滅点灯、緑色点滅点灯及び青色点滅点灯の１０種類ある。「決定」という文字がつけられたコマンドボタンは、現在表示されている内容での登録テーブルの記憶を指示するものである。
【００３３】
ステップＳＡ３では、制御部３４は、いずれかのボタンが押下されたか否かを判断する。この判断は、制御部３４において、操作者がリモコン４５のチャネル／数字・文字入力ボタン、決定ボタンあるいはカーソルボタンのいずれかを押下することにより、リモコン４５から当該ボタンが押下されたことを示す赤外線パルスの制御信号ＬＲがリモコン受信部３５で受信された後、電気信号の制御信号ＲＣに変換されて供給されたか否かを検出することにより行われる。
ステップＳＡ３の判断が「ＮＯ」の場合には、制御部３４は、同判断を繰り返す。そして、上記チャネル／数字・文字入力ボタン、決定ボタン、上カーソルボタン、下カーソルボタン、左カーソルボタンあるいは右カーソルボタンのいずれかが押下されたことを示す制御信号ＲＣが制御部３４に供給されると、ステップＳＡ３の判断が「ＹＥＳ」となり、制御部３４は、ステップＳＡ４へ進む。
【００３４】
ステップＳＡ４では、制御部３４は、ステップＳＡ３の処理でリモコン受信部３５から供給された制御信号ＲＣに応じて、対応するディスプレイ４２の一部に、表示内容を更新した登録テーブル作成画面を表示した後、ステップＳＡ５へ進む。例えば、図６（ａ）に示す登録テーブル作成画面において、固定文字「固定電話機」の右隣にあるテキストボックスに固定電話機の電話番号が入力されると、図６（ｂ）に示すように、固定文字「固定電話機」の右隣にあるテキストボックスに入力された電話番号が表示された登録テーブル作成画面がディスプレイ４２に表示される。この場合、記憶部３６のワーキング記憶部には、操作者によって入力された固定電話機の電話番号が一時記憶される。
【００３５】
ステップＳＡ５では、制御部３４は、コマンドボタン「決定」が押下されたか否かを判断する。この判断は、制御部３４において、操作者がリモコン４５のカーソルボタンを何回か押下して、コマンドボタン「決定」の上にフォーカスを移動させた後、決定ボタンを押下することにより、リモコン４５から上記決定ボタンが押下されたことを示す赤外線パルスの制御信号ＬＲがリモコン受信部３５で受信された後、電気信号の制御信号ＲＣに変換されて供給されたか否かを検出することにより行われる。
ステップＳＡ５の判断が「ＮＯ」の場合には、制御部３４は、ステップＳＡ３へ戻り、上記ステップＳＡ３及びＳＡ４の処理を繰り返す。そして、上記決定ボタンが押下されたことを示す制御信号ＲＣが制御部３４に供給されると、ステップＳＡ５の判断が「ＹＥＳ」となり、制御部３４は、ステップＳＡ６へ進む。ステップＳＡ６では、制御部３４は、ステップＳＡ５の処理で決定ボタンが押下された際にワーキング記憶部に記憶されている登録テーブルに関するデータにより新たな登録テーブルを作成又は既にある登録テーブルを更新した後、一連の処理を終了する。
【００３６】
次に、上記構成を有する親機１の動作のうち、本発明の特徴である着信表示に関連した動作について、図７に示すフローチャートを参照して説明する。まず、電源が投入されている親機１において、着信検出回路１２は、基地局４からの着信信号又はアンテナ２２からの着信確認信号ＲＣを検出したか否かを判断している（ステップＳＢ１）。ステップＳＢ１の判断結果が「ＮＯ」の場合には、着信検出回路１２は、同判断を繰り返す。
そして、図１に示すように、基地局４からケーブル５及び回線インターフェイス１１を介して送信された着信信号を検出した場合には、ステップＳＢ１の判断結果が「ＹＥＳ」となり、着信検出回路１２は、ステップＳＢ２へ進む。
【００３７】
一方、図１に示すように、携帯端末機３の場合、基地局７を介して携帯端末機３に着信があると、携帯電話機３が当該基地局７に向けて着信確認信号ＲＣを送信するので、その着信確認信号ＲＣがアンテナ２２によって受信される。これにより、着信検出回路１２は、携帯端末機３の着信を入力電圧の変化として検出するので、ステップＳＢ１の判断結果が「ＹＥＳ」となり、ステップＳＢ２へ進む。
ステップＳＢ２では、着信検出回路１２は、着信検出信号ＲＤ１又はＲＤ２を制御部１５に供給するとともに、アンテナ２２で受信された着信確認信号ＲＣを入力電圧の変化として着信を検出した場合には、上記着信確認信号ＲＣを電話番号／メールアドレス検出回路１３に供給する。
【００３８】
一方、電話番号／メールアドレス検出回路１３は、着信検出回路１２から着信確認信号ＲＣが供給されたか否かを判断している（ステップＳＢ３）。ステップＳＢ３の判断結果が「ＮＯ」の場合には、電話番号／メールアドレス検出回路１３は、同判断を繰り返す。そして、着信検出回路１２から着信確認信号ＲＣが供給された場合には、ステップＳＢ３の判断結果が「ＹＥＳ」となり、電話番号／メールアドレス検出回路１３は、ステップＳＢ４へ進む。ステップＳＢ４では、電話番号／メールアドレス検出回路１３は、供給された着信確認信号ＲＣから着信者の電話番号又はメールアドレスをそれぞれ検出し、携帯端末機３の電話番号を電話番号データＤＮ２として、メールアドレスをメールアドレスデータＭＡとしてそれぞれ制御部１５に供給する。
【００３９】
また、制御部１５は、着信検出回路１２から着信検出信号ＲＤ２が供給されたか否かを判断している（ステップＳＢ５）。ステップＳＢ５の判断結果が「ＮＯ」の場合には、制御部１５は、ステップＳＢ６へ進む。ステップＳＢ６では、制御部１５は、着信検出回路１２から着信検出信号ＲＤ１が供給されたか否かを判断する。ステップＳＢ６の判断結果が「ＮＯ」の場合には、制御部１５は、ステップＳＢ５へ戻る。そして、着信検出回路１２から着信検出信号ＲＤ２が供給されると、ステップＳＢ５の判断結果が「ＹＥＳ」となり、制御部１５は、ステップＳＢ７へ進む。
ステップＳＢ７では、制御部１５は、電話番号／メールアドレス検出回路１３から電話番号データＤＮ２又はメールアドレスデータＭＡが供給されたか否かを判断する。ステップＳＢ７の判断結果が「ＮＯ」の場合には、制御部１５は、同判断を繰り返す。そして、電話番号／メールアドレス検出回路１３から携帯端末機３の電話番号データＤＮ２又はメールアドレスデータＭＡが供給されると、ステップＳＢ７の判断結果が「ＹＥＳ」となり、制御部１５は、供給された電話番号データＤＮ２又はメールアドレスデータＭＡをエンコーダ１６に供給する。
【００４０】
また、着信検出回路１２から着信検出信号ＲＤ１が供給された場合には、ステップＳＢ６の判断結果が「ＹＥＳ」となり、制御部１５は、記憶部１８の所定の記憶領域に記憶されている自機に付与されている電話番号の電話番号データＤＮ１をエンコーダ１６に供給する。
これにより、エンコーダ１６は、制御部１５から供給される自機の電話番号データＤＮ１、電話番号データＤＮ２又はメールアドレスＭＡを符号化して、符号化信号ＥＣとして無線通信部１７に供給する（ステップＳＢ８）。従って、無線通信部１７は、エンコーダ１６から供給された符号化信号ＥＣを用いて変調を行い、変調信号ＶＥをアンテナ２３から送信した後、一連の処理を終了する（ステップＳＢ９）。
【００４１】
次に、上記構成を有する映像表示装置２の動作のうち、本発明の特徴である着信表示に関連した動作について、図８に示すフローチャートを参照して説明する。映像表示装置２では、電源が投入された状態において、受信器３９は、変調信号ＶＥが受信されたか否かを判断している（ステップＳＣ１）。そして、変調信号ＶＥが受信されるとステップＳＣ１の判断結果が「ＹＥＳ」となり、受信器３９は、アンテナ３８で受信された変調信号ＶＥから符号化信号ＥＣを復調し、デコーダ４０に供給する（ステップＳＣ２）。
符号化信号ＥＣが供給されたデコーダ４０は、符号化信号ＥＣから電話番号データＤＮ１、ＤＮ２又はメールアドレスデータＭＡを復号化し、制御部３４に供給する（ステップＳＣ３）。
【００４２】
電話番号データＤＮ１、電話番号データＤＮ２又はメールアドレスデータＭＡが供給された制御部３４は、図４に示す登録テーブルを参照して、デコーダ４０から供給された電話番号データＤＮ１、ＤＮ２又はメールアドレスデータＭＡが登録されているか否かを判断する（ステップＳＣ４）。ステップＳＣ４の判断結果が「ＮＯ」の場合、即ち、デコーダ４０から供給された電話番号データＤＮ１、ＤＮ２又はメールアドレスデータＭＡが登録されていない場合には、制御部３４は、何もせず、一連の処理を終了する。
一方、ステップＳＣ４の判断結果が「ＹＥＳ」の場合、即ち、電話番号データＤＮ１、ＤＮ２又はメールアドレスデータＭＡが登録されている場合には、制御部３４は、ステップＳＣ５へ進む。ステップＳＣ５では、制御部３４は、図４に示す登録テーブルを参照して、当該電話番号データＤＮ１、ＤＮ２又はメールアドレスデータＭＡの着信の表示方法がＬＥＤ４４の点灯であるか否かを判断する。ステップＳＣ５の判断結果が「ＹＥＳ」の場合、即ち、着信表示の方法がＬＥＤ４４の点灯である場合には、制御部３４は、ステップＳＣ６へ進む。
【００４３】
ステップＳＣ６では、制御部３４は、図４に示す登録テーブルを参照して、当該電話番号データＤＮ１、ＤＮ２又はメールアドレスデータＭＡについて登録された色でＬＥＤ４４を連続点灯又は点滅点灯させるための制御信号ＳＣ２を生成し、ＬＥＤ駆動回路４３に供給した後、ステップＳＣ７へ進む。これにより、ＬＥＤ駆動回路４３は、制御部３４から供給された制御信号ＳＣ２に基づいて、ＬＥＤ４４に駆動電圧ＤＶを印加する。例えば、図１に示すように、親機１の着信があった場合には、映像表示装置２の右下部に設けられているＬＥＤ４４が赤色で連続点灯する。
ステップＳＣ７では、制御部３４は、変調信号ＶＥの供給停止がなされたか否かを判断する。この判断は、変調信号ＶＥの入力電圧が所定電圧以上である場合に受信器３９から供給される受信レベル信号ＲＥが供給されなくなったか否かにより行う。ステップＳＣ７の判断結果が「ＮＯ」の場合には、制御部３４は、ステップＳＣ６へ戻り、制御信号ＳＣ２の供給を継続する。これにより、受信器３９から制御部３４に受信レベル信号ＲＥが供給されている限り、ＬＥＤ４４は所定の色で連続点灯又は点滅点灯し続ける。
【００４４】
一方、ステップＳＣ７の判断結果が「ＹＥＳ」の場合、即ち、今まで親機１から供給されていた変調信号ＶＥの供給が停止された場合には、制御部３４は、ステップＳＣ８へ進む。ステップＳＣ８では、制御部３４は、今までＬＥＤ駆動回路４３に供給していた制御信号ＳＣ２の供給を停止した後、一連の処理を終了する。これにより、ＬＥＤ駆動回路４３は、制御部３４から制御信号ＳＣ２が供給されなくなるので、ＬＥＤ４４への駆動電圧ＤＶの印加を停止する。従って、ＬＥＤ４４が消灯する。
【００４５】
また、ステップＳＣ５の判断結果が「ＮＯ」の場合、即ち、図４に示す登録テーブルを参照して、当該電話番号データＤＮ１、ＤＮ２又はメールアドレスデータＭＡの着信の表示方法がＬＥＤ４４の点灯でない場合には、制御部３４は、ステップＳＣ９へ進む。
ステップＳＣ９では、制御部３４は、図４に示す登録テーブルを参照して、当該電話番号データＤＮ１、ＤＮ２又はメールアドレスデータＭＡについて登録された電話機の所持者の氏名やニックネーム等に基づいて、ＯＳＤ表示信号ＳＯ又はテロップ表示信号ＳＴを生成し、キャラクタジェネレータ４１に供給した後、ステップＳＣ１０へ進む。
これにより、キャラクタジェネレータ４１は、映像処理回路３３から供給されるビデオ信号ＶＰに、制御部３４から供給されたＯＳＤ表示信号ＳＯ又はテロップ表示信号ＳＴを重畳して、映像信号ＶＯとしてディスプレイ４２に供給する。例えば、図９に示すように、父親が所持する携帯端末機３ａの着信があった場合には、ディスプレイ４２の左上の表示領域に、ブルーバックと、「パパにメールが来ています。」という文言とからなるＯＳＤ表示８がなされる。また、例えば、図１０に示すように、長女「真子」が所持する携帯端末機３ｂの着信があった場合には、ディスプレイ４２の上部の表示領域に、「真子さんの電話が鳴っています。」という文言からなるテロップ表示９が図中右から左へなされる。
【００４６】
ステップＳＣ１０では、制御部３４は、図４に示す登録テーブルを参照して、当該電話番号データＤＮ１、ＤＮ２又はメールアドレスデータＭＡの着信の表示方法がＯＳＤ表示であるか否かを判断する。ステップＳＣ１０の判断結果が「ＮＯ」の場合には、制御部３４は、何もせず、ステップＳＣ１３へ進む。一方、ステップＳＣ１０の判断結果が「ＹＥＳ」の場合、即ち、当該電話番号データＤＮ１、ＤＮ２又はメールアドレスデータＭＡの着信の表示方法がＯＳＤ表示である場合には、制御部３４は、ステップＳＣ１１へ進む。
ステップＳＣ１１では、制御部３４は、カーソルボタンが押下されたか否かを判断する。この判断は、制御部３４において、操作者がリモコン４５の上カーソルボタン、下カーソルボタン、左カーソルボタンあるいは右カーソルボタンのいずれかを押下することにより、リモコン４５から当該カーソルボタンが押下されたことを示す赤外線パルスの制御信号ＬＲがリモコン受信部３５で受信された後、電気信号の制御信号ＲＣに変換されて供給されたか否かを検出することにより行われる。
【００４７】
ステップＳＣ１１の判断結果が「ＮＯ」の場合には、制御部３４は、同判断を繰り返す。そして、上記上カーソルボタン、下カーソルボタン、左カーソルボタンあるいは右カーソルボタンのいずれかが押下されたことを示す制御信号ＲＣが制御部３４に供給されると、ステップＳＣ１１の判断が「ＹＥＳ」となり、制御部３４は、ステップＳＣ１２へ進む。ステップＳＣ１２では、制御部３４は、ステップＳＣ１１の処理でリモコン受信部３５から供給された制御信号ＲＣに応じて、ディスプレイ４２におけるＯＳＤ表示８の表示位置を変更するためにＯＳＤ表示信号ＳＯを変更した後、ステップＳＣ１３へ進む。例えば、図９に示すように、ＯＳＤ表示８の表示位置がディスプレイ４２の左上である場合において、操作者がリモコン４５の右カーソルボタンを押下したとすると、制御部３４は、ＯＳＤ表示８の表示位置を右上に移動させるためにＯＳＤ表示信号ＳＯを変更する。従って、図１１に示すように、ディスプレイ４２の一部には、ＯＳＤ表示８の表示位置が右上に移動して表示される。
【００４８】
ステップＳＣ１３では、制御部３４は、変調信号ＶＥの供給停止がなされたか否かを判断する。ステップＳＣ１３の判断結果が「ＮＯ」の場合には、制御部３４は、ステップＳＣ９へ戻り、ＯＳＤ表示信号ＳＯ又はテロップ表示信号ＳＴの供給を継続する。これにより、受信器３９から制御部３４に受信レベル信号ＲＥが供給されている限り、ディスプレイ４２にはＯＳＤ表示８又はテロップ表示９が表示され続ける。
一方、ステップＳＣ１３の判断結果が「ＹＥＳ」の場合、即ち、今まで親機１から供給されていた変調信号ＶＥの供給が停止された場合には、制御部３４は、ステップＳＣ１４へ進む。ステップＳＣ１４では、制御部３４は、今までキャラクタジェネレータ４１に供給していたＯＳＤ表示信号ＳＯ又はテロップ表示信号ＳＴの供給を停止した後、一連の処理を終了する。これにより、キャラクタジェネレータ４１は、制御部３４からＯＳＤ表示信号ＳＯ又はテロップ表示信号ＳＴが供給されなくなるので、映像処理回路３３から供給されるビデオ信号ＶＰには何も重畳せずに、そのまま映像信号ＶＯとしてディスプレイ４２に供給する。従って、ディスプレイ４２には、テレビ番組の映像だけが表示される。
【００４９】
このように、本発明の上述の実施の形態１によれば、テレビジョン受信機等の映像表示装置２を用いてテレビ番組を視聴中に、固定電話機又は携帯端末機の着信があった場合、映像表示装置２前面の右下部に設けられたＬＥＤ４４の点灯、ディスプレイ４２へのＯＳＤ表示８又はテロップ表示９により、その旨を報知している。従って、電話機の着信を報知する音量を低く設定してあったり、携帯端末機のマナーモードの解除をし忘れていても、テレビ番組を視聴している者は、電話機の着信を容易に確認することができる。また、電話機の着信を報知する音量を必要以上に高く設定しておく必要がないので、隣室、隣家等に迷惑をかけることがない。
また、上述の実施の形態１によれば、ディスプレイ４２には受信者の氏名やニックネーム等が表示されるだけであり、発信者の電話番号や氏名等は表示されない。従って、発信者のプライバシーを侵害してしまうおそれはない。また、上述の実施の形態１によれば、着信は、ＬＥＤ４４の点灯又はディスプレイ４２への表示だけであり、音声で報知していない。従って、テレビ番組の視聴が妨げられることはない。
【００５０】
さらに、上述の実施の形態１によれば、図９から分かるように、着信をＯＳＤ表示する場合、この表示がテレビ画面のほぼ４分の１の領域に表示される。しかし、ディスプレイ４２にＯＳＤ表示がされている状態において、操作者がリモコン４５のカーソルボタンを操作することにより、ＯＳＤ表示を所望の表示位置に移動させることができる。従って、例えば、サッカーの試合が中継されているテレビ番組を視聴中に、ゴールを覆うように上記ＯＳＤ表示がなされても、直ちにＯＳＤ表示をゴール以外の部分に移動させることができる。この結果、ゴールが決まる肝心なシーンを見逃してしまうおそれはない。
また、上述の実施の形態１によれば、電話番号／メールアドレス検出回路１３は、呼転送信号から固定電話機の電話番号を、着信確認信号ＲＣから着信者の携帯電話番号又はメールアドレスをそれぞれ検出している。そして、電話番号／メールアドレス検出回路１３は、固定電話機及び携帯端末機の電話番号を電話番号データＤＮ１及びＤＮ２として、メールアドレスをメールアドレスデータＭＡとして制御部３４に供給している。これにより、制御部３４は、電話番号データＤＮ１、ＤＮ２又はメールアドレスデータＭＡにより登録テーブルを参照して、「音声による着信」と「電子メールの着信」とを区別して、ディスプレイ４２にＯＳＤ表示又はテロップ表示あるいはＬＥＤ表示をさせている。従って、テレビ番組を視聴している者は、「音声による着信」であるのか、「電子メールの着信」であるのかを識別することができる。このため、テレビ番組を視聴している者は、「電子メールの着信」の場合には、肝心なシーンを見逃してしまうおそれはない。
【００５１】
実施の形態２．
本発明の実施の形態２に係る映像表示システムは、図２に示す構成を有する親機１と、図１２に示す構成を有するチューナ部５１と、図１３に示すモニタ部５２と、携帯端末機３とから概略構成されている。図１２及び図１３において、図３の各部に対応する部分には同一の符号を付け、その詳細な説明を省略する。図３と図１２及び図１３とを比較して分かるように、この実施の形態２においては、映像表示装置がチューナ部５１とモニタ部５２とに分離されている。従って、キャラクタジェネレータ４１とディスプレイ４２との間には、エンコーダ６１、送信器６２、アンテナ６３、７１、受信器７２及びデコーダ７３が設けられている。また、ＬＥＤ駆動回路４３及びＬＥＤ４４は、モニタ部５２側に設けられている。しかし、実施の形態１と実施の形態２とにおける差異は、上記構成における差異だけであり、実施の形態２においても、登録テーブル作成処理及び着信表示処理が実行される。
【００５２】
本発明の実施の形態２に係るチューナ部５１は、アンテナ３１に接続され、チューナ３２と、映像処理回路３３と、制御部３４と、リモコン受信部３５と、記憶部３６と、本体操作部３７と、アンテナ３８と、受信器３９と、デコーダ４０と、キャラクタジェネレータ４１と、エンコーダ６１と、送信器６２と、アンテナ６３とを有している。
図１２において、制御部３４が実行する処理及び記憶部３６に記憶されるプログラムやデータは、以下に示すように、上記実施の形態１とは異なっている。即ち、制御部３４は、以下に示す第１着信表示処理及び登録テーブル作成処理を実行する。第１着信表示処理は、親機１から登録テーブルに電話番号等が登録された固定電話機又は携帯端末機３の着信があったことが報知された場合には、当該電話番号等について登録された表示の種類に応じて、ＯＳＤ表示信号ＳＯ等を生成し、キャラクタジェネレータ４１等に供給する処理である。登録テーブル作成処理は、モニタ部５２と通信を行いつつ、上記実施の形態１で説明した登録テーブルを作成する処理である。
【００５３】
エンコーダ６１は、キャラクタジェネレータ４１から出力された映像信号ＶＯを符号化して、符号化信号ＥＣ２として送信器６２に供給する。また、エンコーダ６１は、制御部３４からＬＥＤ駆動回路４３に供給すべき制御信号ＳＣ２に対応したＬＥＤ駆動信号ＬＤが供給された場合には、上記映像信号ＶＯとともに、ＬＥＤ駆動信号ＬＤも符号化して、符号化信号ＥＣ２として送信器６２に供給する。送信器６２は、エンコーダ６１から供給される符号化信号ＥＣ２を用いて変調を行い、変調信号ＶＥ２をアンテナ６３から送信する。
【００５４】
本発明の実施の形態２に係るモニタ部５２は、アンテナ７１と、受信器７２と、デコーダ７３と、ディスプレイ４２と、制御部７４と、記憶部７５と、ＬＥＤ駆動回路４３と、ＬＥＤ４４とを有している。受信器７２は、アンテナ７１で受信された変調信号ＶＥ２から符号化信号ＥＣ２を復調し、デコーダ７３に供給する。デコーダ７３は、受信器７２から供給される符号化信号ＥＣ２を復号化して、得られた映像信号ＶＯをディスプレイ４２に供給する。また、デコーダ７３は、受信器７２から供給される符号化信号ＥＣ２を復号化して、得られたＬＥＤ駆動信号ＬＤを制御部７４に供給する。
制御部７４は、ＣＰＵ、ＤＳＰ、シーケンサ等からなり、記憶部７５に記憶されている第２着信表示プログラムその他のプログラムに基づいて、第２着信表示処理その他の処理を実行することにより、装置各部に制御信号ＳＣ２等を供給するなどして制御する。第２着信表示処理は、デコーダ７３から供給されたＬＥＤ駆動信号ＬＤに基づいて制御信号ＳＣ２を生成し、ＬＥＤ駆動回路４３に供給する処理である。
【００５５】
記憶部７５は、ＲＡＭやＲＯＭ、あるいはフラッシュメモリ等の半導体メモリからなる。記憶部７５は、プログラム記憶部と、ワーキング記憶部と、データ記憶部とから構成されている。プログラム記憶部は、上記した制御部７４が実行すべき第２着信表示プログラムその他の各種プログラムが予め記憶されている。ワーキング記憶部は、制御部７４が上記した第２着信表示プログラムその他の各種プログラムを実行する際に作業用として用いられる。データ記憶部は、デコーダ７３その他の構成要素に設定すべき初期値や最終値が予め記憶されていたり、各種のデータが記憶される。
【００５６】
次に、上記構成を有する映像表示システムの動作について説明する。まず、チューナ部５１の制御部３４の登録テーブル記憶処理については、登録テーブル作成画面をディスプレイ４２に表示するためにチューナ部５１とモニタ部５２との間で通信を行うこと以外は、上記実施の形態１の場合（図５参照）と同様であるので、その説明を省略する。また、親機１の動作のうち、本発明の特徴である着信表示に関連した動作については、上記実施の形態１の場合（図７参照）と同様であるので、その説明を省略する。
【００５７】
次に、上記構成を有するチューナ部５１の動作のうち、本発明の特徴である着信表示に関連した動作について、図１４に示すフローチャートを参照して説明する。図１４において、ステップＳＣ１〜ＳＣ４の処理については、図８に示すフローチャートのステップＳＣ１〜ＳＣ４の処理と同様であるので、その説明を省略する。
図１４において、ステップＳＣ５の判断結果が「ＹＥＳ」の場合、即ち、着信表示の方法がＬＥＤ４４の点灯である場合には、制御部３４は、ステップＳＣ２１へ進む。ステップＳＣ２１では、制御部３４は、図４に示す登録テーブルを参照して、当該電話番号データＤＮ１、ＤＮ２又はメールアドレスデータＭＡについて登録された色でＬＥＤ４４を連続点灯又は点滅点灯させるための制御信号ＳＣ２を生成するためのＬＥＤ駆動信号ＬＤを生成し、エンコーダ６１に供給した後、ステップＳＣ７へ進む。これにより、エンコーダ６１は、キャラクタジェネレータ４１から出力された映像信号ＶＯ及び制御部３４から供給されたＬＥＤ駆動信号ＬＤを符号化して、符号化信号ＥＣ２として送信器６２に供給する。従って、送信器６２は、エンコーダ６１から供給された符号化信号ＥＣ２を用いて変調を行い、変調信号ＶＥ２をアンテナ６３から送信する。
【００５８】
ステップＳＣ７では、制御部３４は、今まで親機１から供給されていた変調信号ＶＥの供給停止がなされたか否かを判断する。この判断は、変調信号ＶＥの入力電圧が所定電圧以上である場合に受信器３９から供給される受信レベル信号ＲＥが供給されなくなったか否かにより行う。ステップＳＣ７の判断結果が「ＮＯ」の場合には、制御部３４は、ステップＳＣ２１へ戻り、ＬＥＤ駆動信号ＬＤの供給を継続する。これにより、受信器３９から制御部３４に受信レベル信号ＲＥが供給されている限り、エンコーダ６１は、映像信号ＶＯ及びＬＥＤ制御信号ＬＤを符号化信号ＥＣ２に符号化し、送信器６２は、符号化信号ＥＣ２を用いて変調した変調信号ＶＥ２をアンテナ６３から送信し続ける。
【００５９】
一方、ステップＳＣ７の判断結果が「ＹＥＳ」の場合、即ち、今まで親機１から供給されていた変調信号ＶＥの供給停止がなされた場合には、制御部３４は、ステップＳＣ２２へ進む。ステップＳＣ２２では、制御部３４は、今までエンコーダ６１に供給していたＬＥＤ制御信号ＬＤの供給を停止した後、一連の処理を終了する。これにより、エンコーダ６１は、制御部３４からＬＥＤ制御信号ＬＤが供給されなくなるので、キャラクタジェネレータ４１から出力された映像信号ＶＯだけを符号化して、符号化信号ＥＣ２として送信器６２に供給する。従って、送信器６２は、エンコーダ６１から供給された映像信号ＶＯだけが符号化された符号化信号ＥＣ２を用いて変調を行い、変調信号ＶＥ２をアンテナ６３から送信する。
【００６０】
一方、ステップＳＣ５の判断結果が「ＮＯ」の場合、即ち、図４に示す登録テーブルを参照して、当該電話番号データＤＮ１、ＤＮ２又はメールアドレスデータＭＡの着信の表示方法がＬＥＤ４４の点灯でない場合には、制御部３４は、ステップＳＣ９へ進む。
ステップＳＣ９では、制御部３４は、図４に示す登録テーブルを参照して、当該電話番号データＤＮ１、ＤＮ２又はメールアドレスデータＭＡについて登録された電話機の所持者の氏名やニックネーム等に基づいて、ＯＳＤ表示信号ＳＯ又はテロップ表示信号ＳＴを生成し、キャラクタジェネレータ４１に供給した後、ステップＳＣ１０へ進む。
【００６１】
これにより、キャラクタジェネレータ４１は、映像処理回路３３から供給されるビデオ信号ＶＰに、制御部３４から供給されたＯＳＤ表示信号ＳＯ又はテロップ表示信号ＳＴを重畳して、映像信号ＶＯとしてエンコーダ６１に供給する。従って、エンコーダ６１は、キャラクタジェネレータ４１から出力された映像信号ＶＯを符号化して、符号化信号ＥＣ２として送信器６２に供給する。そして、送信器６２は、エンコーダ６１から供給された符号化信号ＥＣ２を用いて変調を行い、変調信号ＶＥ２をアンテナ６３から送信する。
【００６２】
ステップＳＣ１０では、制御部３４は、図４に示す登録テーブルを参照して、当該電話番号データＤＮ１、ＤＮ２又はメールアドレスデータＭＡの着信の表示方法がＯＳＤ表示であるか否かを判断する。ステップＳＣ１０の判断結果が「ＮＯ」の場合には、制御部３４は、何もせず、ステップＳＣ１３へ進む。一方、ステップＳＣ１０の判断結果が「ＹＥＳ」の場合、即ち、当該電話番号データＤＮ１、ＤＮ２又はメールアドレスデータＭＡの着信の表示方法がＯＳＤ表示である場合には、制御部３４は、ステップＳＣ１１へ進む。
ステップＳＣ１１では、制御部３４は、カーソルボタンが押下されたか否かを判断する。この判断は、制御部３４において、操作者がリモコン４５の上カーソルボタン、下カーソルボタン、左カーソルボタンあるいは右カーソルボタンのいずれかを押下することにより、リモコン４５から当該カーソルボタンが押下されたことを示す赤外線パルスの制御信号ＬＲがリモコン受信部３５で受信された後、電気信号の制御信号ＲＣに変換されて供給されたか否かを検出することにより行われる。
【００６３】
ステップＳＣ１１の判断が「ＮＯ」の場合には、制御部３４は、同判断を繰り返す。そして、上記上カーソルボタン、下カーソルボタン、左カーソルボタンあるいは右カーソルボタンのいずれかが押下されたことを示す制御信号ＲＣが制御部３４に供給されると、ステップＳＣ１１の判断が「ＹＥＳ」となり、制御部３４は、ステップＳＣ１２へ進む。ステップＳＣ１２では、制御部３４は、ステップＳＣ１１の処理でリモコン受信部３５から供給された制御信号ＲＣに応じて、ディスプレイ４２におけるＯＳＤ表示８の表示位置を変更するためにＯＳＤ表示信号ＳＯを変更し、キャラクタジェネレータ４１に供給した後、ステップＳＣ１３へ進む。
これにより、キャラクタジェネレータ４１は、映像処理回路３３から供給されるビデオ信号ＶＰに、変更されたＯＳＤ表示信号ＳＯを重畳して、映像信号ＶＯとしてエンコーダ６１に供給する。従って、エンコーダ６１は、キャラクタジェネレータ４１から出力された映像信号ＶＯを符号化して、符号化信号ＥＣ２として送信器６２に供給する。そして、送信器６２は、エンコーダ６１から供給された符号化信号ＥＣ２を用いて変調を行い、変調信号ＶＥ２をアンテナ６３から送信する。
【００６４】
ステップＳＣ１３では、制御部３４は、今まで親機１から供給されていた変調信号ＶＥの供給停止がなされたか否かを判断する。ステップＳＣ１３の判断結果が「ＮＯ」の場合には、制御部３４は、ステップＳＣ９へ戻り、ＯＳＤ表示信号ＳＯ又はテロップ表示信号ＳＴの供給を継続する。これにより、受信器３９から制御部３４に受信レベル信号ＲＥが供給されている限り、エンコーダ６１は、映像信号ＶＯを符号化信号ＥＣ２に符号化し、送信器６２は、符号化信号ＥＣ２を用いて変調した変調信号ＶＥ２をアンテナ６３から送信し続ける。
【００６５】
一方、ステップＳＣ１３の判断結果が「ＹＥＳ」の場合、即ち、今まで親機１から供給されていた変調信号ＶＥの供給停止がなされた場合には、制御部３４は、ステップＳＣ１４へ進む。ステップＳＣ１４では、制御部３４は、今までキャラクタジェネレータ４１に供給していたＯＳＤ表示信号ＳＯ又はテロップ表示信号ＳＴの供給を停止した後、一連の処理を終了する。これにより、キャラクタジェネレータ４１は、制御部３４からＯＳＤ表示信号ＳＯ又はテロップ表示信号ＳＴが供給されなくなるので、映像処理回路３３から供給されるビデオ信号ＶＰには何も重畳せずに、そのまま映像信号ＶＯとしてエンコーダ６１に供給する。
これにより、エンコーダ６１は、キャラクタジェネレータ４１から出力された、ＯＳＤ表示信号ＳＯ又はテロップ表示信号ＳＴが重畳されていない映像信号ＶＯを符号化して、符号化信号ＥＣ２として送信器６２に供給する。従って、送信器６２は、エンコーダ６１から供給された映像信号ＶＯだけが符号化された符号化信号ＥＣ２を用いて変調を行い、変調信号ＶＥ２をアンテナ６３から送信する。
【００６６】
次に、モニタ部５２の処理について、図１５に示すフローチャートを参照して説明する。モニタ部５２では、電源が投入された状態において、受信器７２は、変調信号ＶＥ２が受信されたか否かを判断している（ステップＳＤ１）。そして、変調信号ＶＥ２が受信されるとステップＳＤ１の判断結果が「ＹＥＳ」となり、受信器７２は、アンテナ７１で受信された変調信号ＶＥ２から符号化信号ＥＣ２を復調し、デコーダ７３に供給する（ステップＳＤ２）。
符号化信号ＥＣ２が供給されたデコーダ７３は、符号化信号ＥＣ２を復号化する（ステップＳＤ３）。次に、デコーダ７３は、符号化信号ＥＣ２を復号化することによりＬＥＤ駆動信号ＬＤが得られたか否かを判断する（ステップＳＤ４）。ステップＳＤ４の判断結果が「ＹＥＳ」の場合には、デコーダ７３は、ステップＳＤ５へ進み、復号化された映像信号ＶＯをディスプレイ４２に供給するとともに、復号化されたＬＥＤ駆動信号ＬＤを制御部７４に供給する。これにより、ディスプレイ４２には、テレビ番組の映像だけが表示される。
【００６７】
ＬＥＤ駆動信号ＬＤが供給された制御部７４は、ＬＥＤ駆動信号ＬＤに基づいて制御信号ＳＣ２を生成し、ＬＥＤ駆動回路４３に供給する（ステップＳＤ６）。ＬＥＤ駆動回路４３は、制御部７４から供給された制御信号ＳＣ２に基づいて、ＬＥＤ４４に駆動電圧ＤＶを印加する。これにより、例えば、図１に示すように、親機１の着信があった場合には、映像表示装置２の右下部に設けられているＬＥＤ４４が赤色で連続点灯する。
次に、制御部７４は、変調信号ＶＥ２が供給停止されたか否かを判断する（ステップＳＤ７）。この判断は、変調信号ＶＥ２の入力電圧が所定電圧以上である場合に受信器７２から供給される受信レベル信号ＲＥ２が供給されなくなったか否かにより行う。ステップＳＤ７の判断結果が「ＮＯ」の場合には、制御部７４は、ステップＳＤ６へ戻り、制御信号ＳＣ２の供給を継続する。これにより、受信器７２から制御部７４に受信レベル信号ＲＥ２が供給されている限り、ＬＥＤ４４は所定の色で連続点灯又は点滅点灯し続ける。
【００６８】
一方、ステップＳＤ７の判断結果が「ＹＥＳ」の場合、即ち、今までチューナ部５１から供給されていた変調信号ＶＥ２の供給が停止された場合には、制御部７４は、ステップＳＤ８へ進む。ステップＳＤ８では、制御部７４は、今までＬＥＤ駆動回路４３に供給していた制御信号ＳＣ２の供給を停止した後、一連の処理を終了する。これにより、ＬＥＤ駆動回路４３は、制御部７４から制御信号ＳＣ２が供給されなくなるので、ＬＥＤ４４への駆動電圧ＤＶの印加を停止する。従って、ＬＥＤ４４が消灯する。
一方、ステップＳＤ４の判断結果が「ＮＯ」の場合、即ち、符号化信号ＥＣ２を復号化することによりＬＥＤ駆動信号ＬＤが得られなかった場合には、デコーダ７３は、ステップＳＤ９へ進み、復号化された映像信号ＶＯをディスプレイ４２に供給する。これにより、ディスプレイ４２には、テレビ番組の映像に、ＯＳＤ表示形式又はテロップ表示形式で着信が表示される（ステップＳＤ１０）。
【００６９】
次に、制御部７４は、変調信号ＶＥ２が供給停止されたか否かを判断する（ステップＳＤ１１）。この判断の手法は、上記ステップＳＤ７の処理の場合と同様である。ステップＳＤ１１の判断結果が「ＮＯ」の場合には、制御部７４は、ステップＳＤ１０へ戻る。これにより、受信器７２から制御部７４に受信レベル信号ＲＥ２が供給されている限り、ディスプレイ４２にはＯＳＤ表示又はテロップ表示が表示され続ける。このうち、ディスプレイ４２にＯＳＤ表示がなされている状態で、操作者がリモコン４５のカーソルボタンのいずれかを押下すると、上記したように、それに応じてチューナ部５１の制御部３４がＯＳＤ表示の表示位置を変更するためにＯＳＤ表示信号ＳＯを変更してキャラクタジェネレータ４１に供給する。
【００７０】
これにより、キャラクタジェネレータ４１は、映像処理回路３３から供給されるビデオ信号ＶＰに、変更されたＯＳＤ表示信号ＳＯを重畳して、映像信号ＶＯとしてエンコーダ６１に供給する。従って、エンコーダ６１は、キャラクタジェネレータ４１から出力された映像信号ＶＯを符号化して、符号化信号ＥＣ２として送信器６２に供給する。そして、送信器６２は、エンコーダ６１から供給された符号化信号ＥＣ２を用いて変調を行い、変調信号ＶＥ２をアンテナ６３から送信する。従って、上記したＯＳＤ表示８の表示位置を変更するために変更されたＯＳＤ表示信号ＳＯが重畳された映像信号ＶＯがデコーダ７３で復号化されるので、ディスプレイ４２には、ＯＳＤ表示８の表示位置が変更されて表示される。
【００７１】
一方、ステップＳＤ１１の判断結果が「ＹＥＳ」の場合、即ち、今までチューナ部５１から供給されていた変調信号ＶＥ２の供給が停止された場合には、デコーダ７３は、ステップＳＤ１２へ進み、復号化された映像信号ＶＯをディスプレイ４２に供給する。これにより、ディスプレイ４２には、テレビ番組の映像だけが表示される（ステップＳＤ１２）。
このように、本発明の上述の実施の形態２によれば、テレビジョン受信機等の映像表示装置をチューナ部５１とモニタ部５２とに分割した場合であっても、上述の実施の形態１の場合と同様の効果が得られる。
【００７２】
実施の形態３．
上述した各実施の形態では、本発明をテレビジョン受信機からなる映像表示装置に適用する例を示したが、本発明はこれに限定するものではない。例えば、本発明は、テレビ受信機能を備えたパーソナルコンピュータからなる映像表示装置にも適用することができる。
【００７３】
実施の形態４．
上述した各実施の形態では、本発明をＬＥＤ駆動回路４３及びＬＥＤ４４が内蔵された映像表示装置に適用する例を示したが、本発明はこれに限定するものではない。例えば、本発明は、ＬＥＤ駆動回路４３及びＬＥＤ４４が、映像表示装置とは別体のいわゆるセットトップボックス内に収容しても良い。
【００７４】
実施の形態５．
上述した各実施の形態では、着信検出回路１２及び電話番号／メールアドレス検出回路１３を親機１に設ける例を示したが、本発明はこれに限定するものではない。例えば、着信検出回路１２及び電話番号／メールアドレス検出回路１３は、子機６に設けても良い。この場合、子機６では、親機１から送信された呼転送信号又は携帯端末機３から送信された着信確認信号を受信する。ここで、呼転送信号とは、着信した親機１が受信した呼を各子機に転送する信号である。親機１及び子機６を総称するときは、固定電話機と呼ぶことができる。
【００７５】
以上、この実施の形態を図面を参照して詳述してきたが、具体的な構成は、これらの実施の形態に限定されるものではなく、本発明の要旨を逸脱しない範囲で種々の変形実施ができることは勿論である。
例えば、上述した各実施の形態では、着信表示は、着信検出回路１２で着信が検出されている限り、なされる例を示したが、これに限定されない。即ち、例えば、操作者がリモコン４５のいずれかのボタンを操作することにより、非表示とすることができるように構成しても良い。また、上述した各実施の形態では、登録テーブルは、リモコン４５に設けられた登録ボタンを押下することにより、作成可能に構成する例を示したが、これに限定されない。例えば、テレビジョン受信機に一般的に付属されているリモコンには、映像調整や水平垂直位置の調整等の各種の調整を行うためのメニュー画面を表示させるためのメニューボタンが設けられている。従って、リモコンに登録ボタンを設けることなく、メニュー画面の中の１つの選択項目として、登録テーブル作成画面が設けられていると構成しても良い。
【００７６】
また、上述した各実施の形態では、ＬＥＤ４４は、連続点灯又は点滅点灯をする例を示したが、これに限定されず、点滅の速度やリズムを異ならせるように構成しても良い。また、上述した各実施の形態では、ＯＳＤ表示やテロップ表示の背景の色や文字の色については特に言及していないが、操作者がリモコン４５や本体操作部３７を操作することにより、これらの表示の背景の色や文字の色を任意に設定可能に構成しても良い。上記いずれの場合にも、より多くの電話機の着信を表示することができる。さらに、操作者がリモコン４５や本体操作部３７を操作することにより、ＯＳＤ表示やテロップ表示をする文章について任意に作成可能に構成しても良い。
【００７７】
また、上述した各実施の形態では、親機１は、メールを送受信する機能を有しない例を示したが、これに限定されず、メールを送受信する機能を有するように構成しても良い。この場合には、図４に示す登録テーブルには、固定電話機に付与されているメールアドレスを登録する。また、電話番号／メールアドレス検出回路１３は、基地局４からケーブル５及び回線インターフェイス１１を介して送信された信号から着信者のメールアドレスを検出する。そして、操作者の選択した態様でディスプレイ４２又はＬＥＤ４４に固定電話機宛のメールが着信した旨を表示することになる。また、上述した各実施の形態では、固定電話機が１台である例を示したが、これに限定されず、固定電話機は複数台設けられていても良い。この場合、ある１台の固定電話機の親機又は子機が他の固定電話機の親機から送信された呼転送信号又は携帯端末機３から送信された着信確認信号を受信する。
【００７８】
また、上述した各実施の形態では、登録テーブルに登録したすべての電話機の着信を表示する例を示したが、これに限定されず、任意の電話機の着信のみを表示するように設定するように構成しても良い。また、上述した各実施の形態では、操作者がリモコン４５だけを操作する例を示したが、これに限定されず、本体操作部３７を操作しても同様の処理（例えば、ＯＳＤ表示のディスプレイ４２の画面内の移動）が行われるのは勿論である。さらに、上述した実施の形態２では、チューナ部５１とモニタ部５２とは、無線通信を行う例を示したが、これに限定されず、ケーブルで接続しても良い。この場合、送信器６２、アンテナ６３、７１及び受信器７２は、不要となる。
【図面の簡単な説明】
【００７９】
【図１】本発明の実施の形態１に係る着信表示システムの構成を示す概略図である。
【図２】図１に示す親機の構成を示すブロック図である。
【図３】図１に示す映像表示装置の構成を示すブロック図である。
【図４】図１に示す映像表示装置を構成する記憶部に記憶されている登録テーブルの構成の一例を示す図である。
【図５】図３に示す映像表示装置を構成する制御部が実行する登録テーブル記憶処理を説明するためのフローチャートである。
【図６】図３に示す映像表示装置を構成するディスプレイに表示される登録テーブル作成画面の表示構成例を示す図である。
【図７】図２に示す親機の着信表示に関連した動作を説明するためのフローチャートである。
【図８】図３に示す映像表示装置の着信表示に関連した動作を説明するためのフローチャートである。
【図９】図３に示す映像表示装置の着信表示関連動作を説明するための概念図である。
【図１０】図３に示す映像表示装置の着信表示関連動作を説明するための概念図である。
【図１１】図３に示す映像表示装置の着信表示関連動作を説明するための概念図である。
【図１２】本発明の実施の形態２に係る映像表示システムを構成するチューナ部の構成を示すブロック図である。
【図１３】本発明の実施の形態２に係る映像表示システムを構成するモニタ部の構成を示すブロック図である。
【図１４】図１２に示すチューナ部の処理を説明するためのフローチャートである。
【図１５】図１３に示すモニタ部の処理を説明するためのフローチャートである。
【符号の説明】
【００８０】
１  親機（固定電話機）
２  映像表示装置
３，３ａ，３ｂ  携帯端末機
４，７  基地局
５  ケーブル
６  子機（固定電話機）
８  ＯＳＤ表示
９  テロップ表示
１１  回線インターフェイス
１２  着信検出回路（第１の検出回路）
１３  電話番号／メールアドレス検出回路（第２の検出回路）
１４  音声処理回路
１５，３４，７４  制御部
１６，６１  エンコーダ
１７  無線通信部（送信器）
１８，３６，７５  記憶部
１９  操作部
２０  表示部
２１  送受話部
２２，２３，３１．３８，６３，７１  アンテナ
３２  チューナ
３３  映像処理回路
３５  リモコン受信部
３７  本体操作部（操作部）
３９，７２  受信器
４０，７３  デコーダ
４１  キャラクタジェネレータ
４２  ディスプレイ
４３  ＬＥＤ駆動回路
４４  ＬＥＤ
４５  リモコン（操作部）
５１  チューナ部
５２  モニタ部
６２  送信器
【図１】
2006287829.tif 000003
【図２】
2006287829.tif 000004
【図３】
2006287829.tif 000005
【図４】
2006287829.tif 000006
【図５】
2006287829.tif 000007
【図６】
2006287829.tif 000008
【図７】
2006287829.tif 000009
【図８】
2006287829.tif 000010
【図９】
2006287829.tif 000011
【図１０】
2006287829.tif 000012
【図１１】
2006287829.tif 000013
【図１２】
2006287829.tif 000014
【図１３】
2006287829.tif 000015
【図１４】
2006287829.tif 000016
【図１５】
2006287829.tif 000017